(57)【要約】【課題】合成された映像に対して通常のテレビジョン画像部分が異なるフィールドを合成して順次走査の１フィールドとして表示されたり、テレシネ映像の解像度を落とすことなく順次走査に変換する順次走査変換装置を提供する。【解決手段】２つの映像信号を合成する映像合成部で合成された映像信号合成情報をもとにその映像信号合成情報から得られる各映像信号の領域毎に映像信号の画素差分から重複したフィールドの検出を行って各領域がテレシネ変換されているかどうかを判定し、領域毎のテレシネ変換の判定結果に基づいて映像信号の各領域に対して順次走査変換を行う。【選択図】図１
2005175889.tif 000002
【特許請求の範囲】
【請求項１】
映像合成情報を元に入力した第１の映像と第２の映像の合成を行う映像合成部と、映像合成部から出力された映像信号と映像合成情報を比較して第１の映像の領域か第２の映像の領域かを判別する領域判別部と、入力信号を１フレーム遅延させるためのフレームメモリと、入力した映像信号と１フレーム遅延させた映像と第１の映像領域の差分を検出して累積することにより第１の映像がテレシネ変換されているかどうか判別するテレシネ検出部と、入力した映像信号と１フレーム遅延させた映像と第２の映像領域の差分を検出して累積することにより第２の映像がテレシネ変換されているかどうか判別するテレシネ検出部と、領域判別部の判定により２つのテレシネ検出部の処理を切り替えるセレクタと、テレシネ変換信号から順次走査信号に変換するテレシネ用順次走査変換部と、テレシネ以外の信号を順次走査変換部とテレシネ検出部の結果により２つの順次走査変換部を切り替えるセレクタを備えた順次走査変換装置。
【発明の詳細な説明】
【技術分野】
【０００１】
本発明は、合成された映像をすだれたり、解像度を落とすことなく順次走査に変換する順次走査変換装置に関するものである。
【背景技術】
【０００２】
ＮＴＳＣ規格のテレビジョンではインターレースに毎秒６０フィールドの画像を再生して動画として表示している。標準の映画フィルムやアニメーションなどでは毎秒２４コマのフレームを再生して動画として表示している。これをＮＴＳＣ規格のテレビジョンで放映する場合には上記の毎秒２４コマを毎秒３０コマに変換する。つまり、１コマをインターレースに分割して２つのフィールドとし、５フィールドに１フィールド、同一フィールドを繰り返し表示することによって、テレビジョンのフォーマットに変換している（テレシネ変換）。
【０００３】
このような映像を毎秒６０フィールドの順次走査の映像信号に変換する際には映像信号からテレシネ変換かどうかを検出し、その検出結果がテレシネ変換である場合にはテレシネ変換される前のフィルムと同じフレームを復元し、出力周波数を上げた形となるように順次走査の映像信号に変換し、通常のテレビジョン映像と判定した場合にはインターレースの１フィールドのフィールド内で補完して順次走査の１コマに変換する。このテレシネ変換された映像の検出装置としては、映像信号の所定のフィールドの画像信号と、この所定の２フィールド前の画像信号の画素差分の絶対値があらかじめ設定されている閾値以下の場合に同一フィールド（フレーム）と判定して、その同一フィールド（フレーム）の出現する周期が５フィールドに１フィールドの場合にテレシネ変換された映像として検出を行っている（例えば特許文献１参照。）。
【０００４】
図３に一般的なテレシネ変換と判定した場合の順次走査変換を説明する説明図である。図中のＡからＥはフィルムのコマを示しており、毎秒２４コマで表示される。また、例えば、ａ０、ａ０'はフィルムのコマＡから生成されるテレシネ変換されたインターレース映像の偶数フィールドであり、ａ１はフィルムのコマＡから生成される奇数フィールドである。このとき、ａ０'はａ０を繰り替えし表示したものである。同様にｂ０、ｃ０、ｄ０、ｅ０、はそれぞれコマＢ、Ｃ、Ｄ、Ｅから生成される偶数フィールド、ｂ１、ｃ１、ｄ１、ｅ１、ｅ１'はコマＢ、Ｃ、Ｄ、Ｅから生成される偶数フィールドに対応している。
【０００５】
図３のテレシネ変換された映像の順次走査変換はテレシネ変換で生成されたインターレース方式の映像信号をフィールド間で補完して順次走査の映像信号を作り出している。例えばテレシネ変換で生成されたインターレース方式の映像信号ａ０とａ１とを合成して順次走査の映像信号の最初の１フィールドを生成している。同様にして次のａ０'とａ１を合成して次の１フィールドを生成している。
【０００６】
図４に通常のテレビジョン映像と判定した場合の順次走査変換を説明する説明図である。図中のａ、ｂ、ｃ、ｄ、ｅ、ｆ、ｇ、ｈは通常のテレビジョン映像のフィールドを表しており、ａ'、ｂ'、ｃ'、ｄ'、ｅ'、ｆ'、ｇ'、ｈ'はａ、ｂ、ｃ、ｄ、ｅ、ｆ、ｇ、ｈより生成された補完フィールドを示す。図４の通常のテレビジョン映像の場合、テレシネ変換された映像のように同一フィールドの繰り返しなどがないため、インターレース映像の１フィールドから作成した補完した映像を順次走査の１フィールドとして表示している。例えばａのフィールドから作成した補完映像ａを合成して最初の１フィールドを生成している。同様にｂのフィールドから作成した補完映像ｂ'  を合成して次の１フィールドを生成している。
【特許文献１】特開２０００−３２４３８７号公報
【発明の開示】
【発明が解決しようとする課題】
【０００７】
従来のテレシネ変換装置では、画素差分の比較をフレームもしくはフィールド単位で行っていたため、同一画面上に複数の映像信号を合成した映像信号でその映像信号にテレシネ変換された映像と通常のテレビジョン信号の親子画面、または、テレシネ変換された映像信号同士であっても、同一フィールド（フレーム）の繰返し周期がずれて合成された親子画面で同時に表示した映像の場合、全体としてテレシネ変換された映像と判定して、通常のテレビジョン画像部分が異なるフィールドを合成して順次走査の１フィールドとして表示されたり、通常のテレビジョン画像と判定してインターレース映像の１フィールドから順次走査映像の１フィールドに変換することによってテレシネ映像の解像度が落ちたりしていた。
【０００８】
本発明は、合成された映像に対して通常のテレビジョン画像部分が異なるフィールドを合成して順次走査の１フィールドとして表示されたり、テレシネ映像の解像度を落とすことなく順次走査に変換する順次走査変換装置を提供することを目的としてなされたものである。
【課題を解決するための手段】
【０００９】
この課題を解決するために本発明の順次走査変換装置は、第１の映像信号と第２の映像信号を縮小して合成した映像信号を順次走査映像に変換する装置であって映像合成情報を元に入力した第１の映像と第２の映像の合成を行う映像合成部と、映像合成部から出力された映像信号と映像合成情報を比較して第１の映像の領域か第２の映像の領域かを判別する領域判別部と、入力信号を１フレーム遅延させるためのフレームメモリと、入力した映像信号と１フレーム遅延させた映像と第１の映像領域の差分を検出して累積することにより第１の映像がテレシネ変換されているかどうか判別するテレシネ検出部と、入力した映像信号と１フレーム遅延させた映像と第２の映像領域の差分を検出して累積することにより第２の映像がテレシネ変換されているかどうか判別するテレシネ検出部と、領域判別部の判定により２つのテレシネ検出部の処理を切り替えるセレクタと、テレシネ変換信号から順次走査信号に変換するテレシネ用順次走査変換部と、テレシネ以外の信号を順次走査変換部とテレシネ検出部の結果により２つの順次走査変換部を切り替えるセレクタを備えたものである。  これにより、第１の映像と第２の映像が合成された映像であっても合成された各映像領域によってテレシネ変換の判別、およびそれに基づいた順次走査変換を行うことが可能となり、合成された映像に対して通常のテレビジョン画像部分が異なるフィールドを合成して順次走査の１フィールドとして表示されたり、テレシネ映像の解像度を落とすことなく順次走査に変換することができる。
【発明の効果】
【００１０】
本発明の順次走査変換装置によれば、映像信号合成情報から得られる各映像信号の領域毎に映像信号の画素差分から重複したフィールドの検出を行い、その検出結果に基づいて各領域に対して順次走査変換を行うことにより、テレシネ変換された映像信号の領域に対しては元のフィルムなどの素材を忠実に再現しつつも、テレシネ変換されていない映像領域も乱れのない良好な順次走査の映像が得られるという有利な効果が得られる。
【発明を実施するための最良の形態】
【００１１】
以下本発明の実施の形態について、図１から図２を用いて説明する。図１は本発明の実施の形態における順次走査変換装置を示し、図１において、１は第１の映像と第２の映像の合成を行う映像合成部１、２は映像合成部１から出力された映像信号と映像合成情報を比較して第１の映像の領域か第２の映像の領域かを判別する領域判別部２、３は入力信号を１フレーム遅延させるためのフレームメモリ３、４は入力した映像信号と１フレーム遅延させた映像と第１の映像領域の差分を検出して累積することにより第１の映像がテレシネ変換されているかどうか判別するテレシネ検出部４、５は入力した映像信号と１フレーム遅延させた映像と第２の映像領域の差分を検出して累積することにより第２の映像がテレシネ変換されているかどうか判別するテレシネ検出部５、６はテレシネ変換信号から順次走査信号に変換するテレシネ用順次走査変換部６、７はテレシネ以外の信号を順次走査変換部７、１０から１２は領域判別部２の領域判定により切り替えられるセレクタ１０からセレクタ１２、１３から１５はテレシネ検出部４またはテレシネ検出部５の領域判定により切り替えられるセレクタ１３からセレクタ１５の制御ブロックで構成している。また、おのおののセレクタはＳＬ３１とＳＬ３２の切り替えを行う。
【００１２】
以上のように構成された順次走査変換装置について、以下その動作について説明する。まず、図２のように映像２１と映像２２を親子画面として合成するように図１の映像合成部１および領域判別部２に設定して映像２１と映像２２を入力すると映像合成部１は設定にあわせて画面を合成して領域判別部２に映像を送る。領域判別部２は先に設定された合成情報をもとに映像２１と映像２２の判別を行う。映像２１と判別するとセレクタ１０からセレクタ１２をＳＬ３１に切り替える。するとテレシネ変換判定の差分取得のための必要な入力した映像２１と１フレーム遅延させた映像がテレシネ検出部４に送られ、テレシネ変換の判定を行う。この判定の結果、テレシネ変換された映像の場合はセレクタ１３からセレクタ１５をＳＬ３１に切り替える。これによって映像２１の領域をテレシネ用順次走査変換部６でテレシネ変換信号から順次走査信号に変換する。また、このとき、映像２１の領域がテレシネ変換信号ではなかった場合にはセレクタ１３からセレクタ１５をＳＬ３２に切り替えられ、通常のテレビジョン信号として順次走査変換部７で順次走査信号に変換する。
【００１３】
領域判別部２に入力された画像が映像２２の領域と判別すると、セレクタ１０からセレクタ１２を同時にＳＬ３２に切り替える。するとテレシネ変換判定の差分取得のための必要な入力した映像２２と１フレーム遅延させた映像がテレシネ検出部５に送られ、テレシネ変換の判定を行う。
この判定の結果、テレシネ変換された映像の場合はセレクタ１３からセレクタ１５をＳＬ３２に切り替える。これによって映像２２の領域をテレシネ用順次走査変換部６でテレシネ変換信号から順次走査信号に変換する。また、このとき、映像２２の領域がテレシネ変換信号ではなかった場合にはセレクタ１３からセレクタ１５をＳＬ３２に切り替えられ、通常のテレビジョン信号として順次走査変換部７で順次走査信号に変換する。次に再度、領域判別部２に入力された画像が映像２１の領域と判別すると、セレクタ１０からセレクタ１２を同時にＳＬ３１に切り替えるとテレシネ変換判定の差分取得のための必要な入力した映像２１と１フレーム遅延させた映像がテレシネ検出部４に送られテレシネ変換信号と判定するとテレシネ用順次走査変換部６で順次走査変換を行う。この処理を繰り返し行う。
【００１４】
以上のように本実施形態によれば、異なる映像信号を合成した飛び越し走査の映像を表示速度の異なる順次走査の映像に変換する際に映像信号合成情報から得られる各映像信号の領域毎に映像信号の画素差分から重複したフィールドの検出を行い、その検出結果に基づいて各領域に対して順次走査の変換方法を変えることが可能となる。
【産業上の利用可能性】
【００１５】
本発明にかかる順次走査変換装置は、蓄積メディアからのデコード映像とＴＶチューナからの映像信号といった２つの映像信号を画面合成して順次変換して出力可能なＤＶＤレコーダやＨＤＤレコーダなどにも適用できる。
【図面の簡単な説明】
【００１６】
【図１】本発明の一実施の形態による順次走査変換装置のシステムを示す図
【図２】映像信号１、２を合成した画面の例を示す図
【図３】一般的なテレシネ変換と判定した場合の順次走査変換を示す図
【図４】一般的な通常のテレビジョン信号と判定した場合の順次走査変換を示す図
【符号の説明】
【００１７】
１    映像合成部
２    領域判定部
３    フレームメモリ
４，５    テレシネ検出部
６，７    順次走査変換部
１０，１１，１２，１３，１４，１５    セレクタ
【図１】
2005175889.tif 000003
【図２】
2005175889.tif 000004
【図３】
2005175889.tif 000005
【図４】
2005175889.tif 000006